(57)【特許請求の範囲】
【請求項１】
撮像素子で撮影した画像データを記録媒体に記録するデジタルカメラにおいて、
前記記録媒体に記録する画像データの記録画素数又は圧縮率を設定する設定手段と、
前記設定手段で設定された記録画素数又は圧縮率が、あらかじめ設定された規定記録画素数又は規定圧縮率である場合に前記記録媒体に記録する画像データに対して電子透かし処理又は暗号化処理を施す処理手段と、
を備えたことを特徴とするデジタルカメラ。
【請求項２】
前記規定記録画素数又は前記規定圧縮率を設定する設定手段を備えたことを特徴とする請求項１に記載のデジタルカメラ。
【請求項３】
撮影モードを選択する選択手段を備え、前記処理手段は、前記設定手段で設定された記録画素数又は圧縮率が、あらかじめ設定された規定記録画素数又は規定圧縮率でない場合、前記選択手段で選択された撮影モードが、あらかじめ設定された規定撮影モードであるか否か判定し、あらかじめ設定された規定撮影モードである場合に前記記録媒体に記録する画像データに対して電子透かし処理又は暗号化処理を施すことを特徴とする請求項１又は２に記載のデジタルカメラ。
【請求項４】
前記規定撮影モードを設定する設定手段を備えたことを特徴とする請求項３に記載のデジタルカメラ。
【発明の詳細な説明】
【０００１】
【発明の属する技術分野】
本発明はデジタルカメラに係り、特に記録媒体に記録する画像データに対して電子透かし処理又は暗号化処理を施すことが可能なデジタルカメラに関する。
【０００２】
【従来の技術】
デジタルカメラで撮影した画像はデジタルデータとして記録されるため、コンピュータによって容易に加工でき、また、ネットワークなどを介して容易に流通させることができるという利点がある。その一方で合成などの改ざんが容易であるため、撮影された画像の証拠としての信頼性が問題となる場合がある。また、複製・配布が容易なため、撮影した画像の著作権者の権利が充分に保護されないという問題もある。
【０００３】
そこで、撮影されたデジタル画像の証拠能力を高め、著作権を保護するために、特開２００１−１４４９３７号公報等には、撮影したデジタル画像に電子透かし処理を施すことが可能なデジタルカメラが提案されている。電子透かしは、デジタル画像中に人間に知覚されない別のデータを埋め込むもので、必要に応じて正当な資格や権利を有する者だけが埋め込んだデータを取り出せるようにしたものである。
【０００４】
【発明が解決しようとする課題】
しかしながら、特開２００１−１４４９３７号公報等に開示された電子透かし機能を備えたデジタルカメラは、電子透かし処理の要・不要をユーザが自らが設定しなければならず、手間がかかるという欠点がある。すなわち、実際の撮影では、必ずしも全ての画像に対して電子透かし処理を行なう必要はなく、必要な場合にだけ行なえばよいが、撮影のたびに電子透かし機能のＯＮ・ＯＦＦを切り替えなければならず、 操作が面倒になるという欠点がある。
【０００５】
本発明はこのような事情に鑑みてなされたもので、撮影状況に応じて自動で電子透かし処理又は暗号化処理を行なうことができるデジタルカメラを提供することを目的とする。
【０００６】
【課題を解決するための手段】
請求項１に係る発明は、前記目的を達成するために、撮像素子で撮影した画像データを記録媒体に記録するデジタルカメラにおいて、前記記録媒体に記録する画像データの記録画素数又は圧縮率を設定する設定手段と、前記設定手段で設定された記録画素数又は圧縮率が、あらかじめ設定された規定記録画素数又は規定圧縮率である場合に前記記録媒体に記録する画像データに対して電子透かし処理又は暗号化処理を施す処理手段と、を備えたことを特徴とするデジタルカメラを提供する。
【０００７】
また、請求項２に係る発明は、前記目的を達成するために、前記規定記録画素数又は前記規定圧縮率を設定する設定手段を備えたことを特徴とする請求項１に記載のデジタルカメラを提供する。
【０００８】
また、請求項３に係る発明は、前記目的を達成するために、撮影モードを選択する選択手段を備え、前記処理手段は、前記設定手段で設定された記録画素数又は圧縮率が、あらかじめ設定された規定記録画素数又は規定圧縮率でない場合、前記選択手段で選択された撮影モードが、あらかじめ設定された規定撮影モードであるか否か判定し、あらかじめ設定された規定撮影モードである場合に前記記録媒体に記録する画像データに対して電子透かし処理又は暗号化処理を施すことを特徴とする請求項１又は２に記載のデジタルカメラを提供する。
また、請求項４に係る発明は、前記目的を達成するために、前記規定撮影モードを設定する設定手段を備えたことを特徴とする請求項３に記載のデジタルカメラを提供する。
【０００９】
本発明によれば、撮影した画像の記録画素数、圧縮率、撮影モードに応じて自動で電子透かし処理又は暗号化処理を行なうことができる。これにより、撮影のたびに設定する手間が省け、快適な撮影を行なうことができる。
【００１０】
【発明の実施の形態】
以下、添付図面に従って本発明に係るデジタルカメラの好ましい実施の形態について詳説する。
【００１１】
図１、図２は、それぞれ本発明に係るデジタルカメラの一実施形態を示す正面図と背面図である。同図に示すように、本実施の形態のデジタルカメラ１０の正面には撮影レンズ１２、ファインダ窓１４、ストロボ１６等が設けられており、上面にはシャッターボタン１８が設けられている。また、背面にはファインダ２０、電源ボタン２２、モードレバー２４、モードダイヤル２６、十字ボタン２８、メニュー／ＯＫボタン３０、キャンセルボタン３２、液晶モニタ３４等が設けられている。
【００１２】
モードレバー２４は、電源ボタン２２を中心に回動自在に設けられており、このモードレバー２４の位置を変えることにより、カメラの機能が変更される。すなわち、デジタルカメラ１０は、このモードレバー２４を回動操作することにより、静止画撮影を行なう撮影モードと、撮影した画像の再生を行なう再生モードと、機能設定を行なうセットアップモードとに切り替えられる。
【００１３】
ここで、セットアップモードでは、ビープ音のＯＮ・ＯＦＦ設定や日時設定等の基本設定の他、撮影画像についての電子透かし処理及び暗号化処理の要・不要について設定することができる。なお、この電子透かし処理及び暗号化処理の要・不要について設定については、のちに詳述する。
【００１４】
モードダイヤル２６は、回動自在に設けられており、このモードダイヤル２６の位置を変えることにより、カメラの撮影モードが変更される。すなわち、デジタルカメラ１０は、このモードダイヤル２６を回動操作することにより、撮影モードをオートモード（ＡＵＴＯモード）、プログラムオートモード（Ｐモード）、絞り優先ＡＥモード（Ａモード）、シャッター速度優先ＡＥモード（Ｓモード）、マニュアルモード（Ｍモード）、シーンポジションモード（ＳＰモード）に切り替えられる。なお、各撮影モードの内容については、 のちに詳述する。
【００１５】
十字ボタン２８は、それぞれ対応する４方向（上下左右）の指示を入力するボタンであり、たとえばメニュー画面が表示されている場合にメニュー画面からメニュー項目を選択したり、各メニューから各種設定項目の選択を指示するボタンとして機能する。また、撮影モード時にズームボタンとして機能したり、再生モード時にコマ送りボタンとして機能したりする。
【００１６】
メニュー／ＯＫボタン３０は、メニュー画面の表示及び選択内容の確定、実行などに使用され、キャンセルボタン３２は、メニューから選択した項目の取消や一つ前の操作状態に戻らせる時などに使用される。
【００１７】
液晶モニタ３４は、再生モード時に撮影した画像の再生用モニタとして使用されるとともに、メニューの表示画面として使用される。また、撮影モード時には、画角確認用の電子ビューファインダーとしても使用される。
【００１８】
図３は、デジタルカメラ１０の内部構成を示したブロック図である。同図に示すように、デジタルカメラ１０は、ＣＰＵ４０、撮影回路４２、画像処理回路４４、圧縮・伸張回路４６、記録回路４８、表示回路５０、スイッチ回路５２、ＲＯＭ５４、ＲＡＭ５６、ＥＥＰＲＯＭ５８、透かしデータ埋め込み回路６２、暗号化回路６４等を備えている。
【００１９】
ＣＰＵ４０は、他の回路を制御して撮影、画像データの記録、画像データの転送等の処理を司る。
【００２０】
撮影回路４２は、撮像素子（ＣＣＤ）、Ａ／Ｄ変換器等を備えており、撮影レンズ１２を通して撮像素子の受光面上に結像された光学像を電気信号に変換し、画像信号として出力する。
【００２１】
画像処理回路４４は、撮影回路４２から出力された画像信号に対して各種信号処理を施して画像データを生成する。
【００２２】
圧縮・伸張回路４６は、画像処理回路４４で信号処理された画像データを圧縮するとともに、圧縮された画像データを伸張する。
【００２３】
記録回路４８は、圧縮・伸張回路４６で圧縮された画像データをメモリカード６６に記録するとともに、メモリカード６６に記録された画像データの読み出しを行なう。
【００２４】
表示回路５０は、ＣＰＵ４０からの指令に基づき液晶モニタ３４に画像を表示させるよう駆動し、また、スイッチ回路５２は、シャッターボタン１８、電源ボタン２２、モードレバー２４等の各種操作ボタン類が操作されたことを検出して、ＣＰＵ４０に伝達する。
【００２５】
ＲＯＭ５４には、ＣＰＵ４０が処理するプログラム及び制御に必要な各種データ等が格納されており、ＲＡＭ５６は、画像処理領域の他、ＣＰＵ４０が各種の演算処理等を行うための作業用領域を有している。また、ＥＥＰＲＯＭ（不揮発性メモリ）５８には、ユーザが設定した各種設定情報等が格納される。
【００２６】
透かしデータ埋め込み回路６２は、ＣＰＵ４０からの指令に基づき画像データに電子透かしデータを埋め込む。また、暗号化回路６４は、ＣＰＵ４０からの指令に基づき画像データを暗号化する。なお、電子透かし及び暗号化については、既存の手法を用いて行なうことができるので、ここでは具体的な処理の内容についての説明は省略する。
【００２７】
上述したように本実施の形態のデジタルカメラ１０では、撮影モードとして、オートモード（ＡＵＴＯモード）、プログラムオートモード（Ｐモード）、絞り優先ＡＥモード（Ａモード）、シャッター速度優先ＡＥモード（Ｓモード）、マニュアルモード（Ｍモード）、シーンポジションモード（ＳＰモード）の３つのモードを選択することができる。
【００２８】
オートモード（ＡＵＴＯモード）は、露出設定をカメラ側が自動で設定するモードであり、被写体の明るさに応じて絞りとシャッタースピードの最適な組み合わせをカメラが自動的に決定する。
【００２９】
プログラムオートモード（Ｐモード）は、ユーザが各種設定を組み合わせて撮影できるモードであり、たとば次の９項目について設定できるものとする。すなわち、▲１▼セルフタイマ、▲２▼ホワイトバランス、▲３▼感度、▲４▼マニュアルフォーカス、 ▲５▼シャープネス、▲６▼ストロボ光量、▲７▼露出補正、▲８▼多重露光、▲９▼測光について設定することができるものとする。
【００３０】
ここで、▲１▼セルフタイマは、シャッターボタン１８を押した後、所定時間経過後に撮影が行なわれる機能である。
【００３１】
▲２▼ホワイトバランスは、ホワイトバランスが所定の環境下・照明光下に適合するように固定する機能であり、たとえば「晴れた屋外での撮影」、「日陰での撮影」、「昼光色蛍光灯下での撮影」、「昼白色蛍光灯下での撮影」、「電球・白熱灯下での撮影」というように、あらかじめ設定された撮影シーンから選択して設定できるものとする。
【００３２】
▲３▼感度は、ＣＣＤの受光感度を設定する機能であり、たとえば、１００、２００、４００というように、あらかじめ設定された感度から選択して設定できるものとする。
【００３３】
▲４▼マニュアルフォーカスは、ピント調節を手動で行なう機能であり、撮影時は、たとえば十字ボタン２８の左右のボタンを操作してピントを調節するものとする。
【００３４】
▲５▼シャープネスは、撮影画像の輪郭をソフトにしたり強調したり、 撮影画質を調整する機能であり、たとえば、ハード（輪郭を強調する）、ソフト（輪郭をソフトにする）、ノーマル（通常処理）から選択して設定できるものとする。
【００３５】
▲６▼ストロボ光量は、ストロボ１６の光量を補正する機能であり、たとえば０. ３ＥＶステップ、−０．６ＥＶ〜＋０．６ＥＶの範囲で補正できるものとする。
【００３６】
▲７▼露出補正は、露出を補正する機能であり、たとえば０. ３ＥＶステップ、−１．５ＥＶ〜＋１．５ＥＶの範囲で補正できるものとする。
【００３７】
▲８▼多重露光は、画像を重ね合わせて撮影する機能であり、たとえば重ね合わせる回数（露光回数）を選択できるものとする。
【００３８】
▲９▼測光は、測光方式を変更する機能であり、たとえばアベレージ（画面全体を平均して測光する）、スポット（画面中央部の露出が最適になるように測光する）、マルチ（自動で場面を判断し、露出が最適になるように測光する）の３方式の中から選択できるものとする。
【００３９】
なお、各項目の設定は液晶モニタ３４を利用して行なわれ、たとえばマニュアルモード下でメニュー／ＯＫボタン３０を押すことにより、液晶モニタ３４上に設定画面が現われる。
【００４０】
絞り優先ＡＥモード（Ａモード）は、ユーザが絞り値を設定して撮影するモードであり、ユーザが絞り値を設定すると、そのときの被写体の明るさに応じて適正な露出となるようにカメラ側が自動的にシャッタースピードを決定する。なお、絞り値の設定は、たとえば十字ボタン２８の左右ボタンの操作で行ない、その設定値は液晶モニタ３４上に表示されるものとする。
【００４１】
シャッタースピード優先ＡＥモード（Ｓモード）は、ユーザがシャッタースピードを設定して撮影するモードであり、ユーザがシャッタースピードを設定すると、そのときの被写体の明るさに応じて適正な露出となるようにカメラ側が自動的に絞り値を決定する。なお、シャッタースピードの設定は、たとえば十字ボタン２８の左右ボタンの操作で行ない、その設定値は液晶モニタ３４上に表示されるものとする。
【００４２】
マニュアルモード（Ｍ）は、ユーザが絞り値・シャッタースピードを設定して撮影する機能であり、その設定はたとえば十字ボタン２８の操作で行ない、その設定値は液晶モニタ３４上に表示されるものとする。
【００４３】
シーンポジションモード（ＳＰ）は、設定した撮影シーンに合わせてカメラ側が自動で最適な露出を設定するモードであり、たとえば、▲１▼人物撮影、▲２▼風景撮影、▲３▼夜景撮影、▲４▼スポーツ撮影、▲５▼モノクロ撮影を選択して設定できる。ここで、▲１▼人物撮影では人物を撮影するのに適した撮影制御が行なわれ、▲２▼風景撮影では昼間の風景撮影に適した撮影制御が行なわれる。また、▲３▼夜景撮影では、夕景や夜景の撮影に適した撮影制御が行なわれ、▲４▼スポーツ撮影では、動体を撮影するのに適した撮影制御が行なわれる。また、▲５▼モノクロ撮影では、撮影画像がモノクロとなるように処理される。
【００４４】
なお、各撮影シーンの設定は、液晶モニタ３４を利用して行なわれ、たとえばシーンポジションモード下でメニュー／ＯＫボタン３０を押すことにより、液晶モニタ３４上に設定画面が現われる。ユーザは、液晶モニタ３４に現われた項目を選択して設定する。
【００４５】
また、本実施の形態のデジタルカメラ１０は、メモリカード６６に記録する画像データの画像サイズ（記録画素数）と圧縮率を設定でき、その設定はメニューから呼び出して行なわれる。
【００４６】
画像サイズは、たとえば６Ｍ（２８３２×２１２８ピクセル）、３Ｍ（２０４８×１５３６ピクセル）、１Ｍ（１２８０×９６０ピクセル）、ＶＧＡ（６４０×４８０ピクセル）の４つのサイズから選択できるものとし、液晶モニタ３４を利用して設定する。すなわち、たとえば各撮影モード下でメニュー／ＯＫボタン３０を押すことにより、液晶モニタ３４上に設定画面が現われ、ユーザは画面の指示に従って設定する。
【００４７】
圧縮率、たとえばＨＩ（非圧縮）、ＦＩＮＥ（１／４）、ＮＯＲＭＡＬ（１／８）、ＢＡＳＩＣ（１／１６）の４つの中から選択して設定できるものとし、液晶モニタ３４を利用して設定する。すなわち、たとえば各撮影モード下でメニュー／ＯＫボタン３０を押すことにより、液晶モニタ３４上に設定画面が現われ、ユーザは画面の指示に従って設定する。
【００４８】
また、上述したように本実施の形態のデジタルカメラ１０では、電子透かし処理及び暗号化処理の要・不要について設定することができる。そして、この設定は、▲１▼画像サイズ（記録画素数）による設定、▲２▼圧縮率による設定、▲３▼撮影モードによる設定、▲４▼シーンポジションによる設定が可能とされ、たとえば次のように行なわれる。
【００４９】
モードレバー２４を操作してカメラをセットアップモードに設定すると、液晶モニタ３４にセットアップ画面が表示される (不図示）。そして、その中から電子透かし処理・暗号化処理の設定を選択すると、図４（ａ）に示すように、液晶モニタ３４上に電子透かし処理と暗号化処理の選択画面が表示される。ここでは、電子透かし処理と暗号化処理のいずれの処理の設定を行なうかを選択する。なお、選択は十字ボタン２８の操作で行い、選択した項目が黒字に白抜き文字で表示される（図４（ａ）では、電子透かし処理を選択している。）。
【００５０】
ここで、電子透かし処理の設定を選択すると、同図（ｂ）に示すように、液晶モニタ３４に電子透かし処理の設定画面が表示され、暗号化処理を選択すると、同図（ｃ）に示すように、液晶モニタ３４に暗号化処理の設定画面が表示される。電子透かし処理と暗号化処理は、それぞれ▲１▼画像サイズ、▲２▼圧縮率、▲３▼撮影モード、▲４▼シーンポジションの各項目ごとにＯＮ (要）／ＯＦＦ（不要）を設定でき、この他、各項目ごとにカスタム設定が可能とされている。
【００５１】
▲１▼画像サイズによる設定では、ＯＮを選択すると、３Ｍと６Ｍで記録される画像に対して電子透かし処理及び暗号化処理が行なわれる。すなわち、ＯＮが選択されると、規定画像サイズが３Ｍと６Ｍに設定され、３Ｍと６Ｍで画像が撮影されると、自動で電子透かし処理及び暗号化処理が行なわれる。これは画像サイズが小さいときは、電子透かしや暗号化の必要性は低いと考えられることに基づくものであり、ＯＦＦを選択すると、画像サイズによる電子透かし処理又は暗号化処理は行なわれない。
【００５２】
また、ＣＵＳＴＯＭを選択すると、同図（ｄ）に示すように、画像サイズの選択画面が液晶モニタ３４に表示され、ユーザは、この表示に従って各画像サイズごとに個別に電子透かし処理又は暗号化処理のＯＮ (要）／ＯＦＦ（不要）を選択できるようにされている（規定画像サイズをユーザが個別に設定できるようにされている。）。
【００５３】
なお、選択は十字ボタン２８の操作で行い、選択した項目が黒字に白抜き文字で表示される（図４（ｃ）において、画像サイズはＣＵＳＴＯＭを選択、図４（ｄ）において、６ＭはＯＮ、３ＭはＯＮ、１ＭはＯＦＦ、ＶＧＡはＯＦＦを選択している。）。
【００５４】
▲２▼圧縮率による設定では、ＯＮを選択すると、ＨＩとＦＩＮＥで記録される画像に対してのみ電子透かし処理及び暗号化処理が行なわれる。すなわち、ＯＮを選択すると、規定圧縮率がＨＩとＦＩＮＥに設定され、ＨＩとＦＩＮＥで画像が撮影されると、自動で電子透かし処理及び暗号化処理が行なわれる。これは圧縮率が高いときは、電子透かしや暗号化の必要性は低いと考えられることに基づくものであり、ＯＦＦを選択すると、圧縮率による電子透かし処理又は暗号化処理は行なわれない。
【００５５】
また、ＣＵＳＴＯＭを選択すると、同図（ｅ）に示すように、圧縮率の選択画面が液晶モニタ３４に表示され、ユーザは、この表示に従って各圧縮率ごとに個別に電子透かし処理又は暗号化処理のＯＮ (要）／ＯＦＦ（不要）を選択できるようにされている（規定圧縮率をユーザが個別に設定できるようにされている。）。
【００５６】
なお、選択は十字ボタン２８の操作で行い、選択した項目が黒字に白抜き文字で表示される（図４（ｃ）において、圧縮率はＣＵＳＴＯＭを選択し、図４（ｅ）において、ＨＩはＯＮ、ＦＩＮＥはＯＮ、ＮＯＭＡＬはＯＦＦ、ＢＡＳＩＣはＯＦＦを選択している。）。
【００５７】
▲３▼撮影モードによる設定では、ＯＮを選択すると、オートモード以外で撮影された画像に対して電子透かし処理及び暗号化処理が行なわれる。すなわち、ＯＮが選択されると、規定撮影モードがプログラムオートモード、絞り優先ＡＥモード、シャッター速度優先ＡＥモード、 マニュアルモードに設定され、これらのモードで画像が撮影されると、自動で電子透かし処理及び暗号化処理が行なわれる。これはオート撮影時には、電子透かしや暗号化の必要性は低いと考えられることに基づくものであり、ＯＦＦを選択すると、撮影モードによる電子透かし処理又は暗号化処理は行なわれない。
【００５８】
また、ＣＵＳＴＯＭを選択すると、同図（ｆ）に示すように、撮影モードの選択画面が液晶モニタ３４に表示され、ユーザは、この表示に従って各撮影モードごとに個別に電子透かし処理又は暗号化処理のＯＮ（要）／ＯＦＦ（不要）を選択できるようにされている（規定撮影モードをユーザが個別に設定できるようにされている。）。
【００５９】
なお、選択は十字ボタン２８の操作で行い、選択した項目が黒字に白抜き文字で表示される（図４（ｃ）において、撮影モードはＯＦＦを選択し、図４（ｆ）において、オートモードはＯＦＦ、プログラムオートモードはＯＦＦ、絞り優先ＡＥモードはＯＮ、シャッター速度優先ＡＥモードはＯＮ、マニュアルモードはＯＮを選択している。）。
【００６０】
▲４▼シーンポジションによる設定では、ＯＮを選択すると、人物撮影モードと風景撮影モードで撮影された画像に対して電子透かし処理及び暗号化処理が行なわれる。すなわち、ＯＮが選択されると、規定シーンポジション（規定撮影モード）が、人物撮モード影と風景撮影モードに設定され、これらのモードで画像が撮影されると、自動で電子透かし処理又は暗号化処理が行なわれる。これは人物撮影や風景撮影は、電子透かしや暗号化の必要性が高いと考えられることに基づくものであり、ＯＦＦを選択すると、シーンポジションによる電子透かし処理又は暗号化処理は行なわれない。
【００６１】
また、ＣＵＳＴＯＭを選択すると、同図（ｇ）に示すように、シーンポジションの選択画面が液晶モニタ３４に表示され、ユーザは、この表示に従って各シーンポジションごとに個別に電子透かし処理又は暗号化処理のＯＮ（要）／ＯＦＦ（不要）を選択できるようにされている（規定シーンポジション（規定撮影モード）をユーザが個別に設定できるようにされている。）。
【００６２】
なお、選択は十字ボタン２８の操作で行い、選択した項目が黒字に白抜き文字で表示される（図４（ｃ）において、シーンポジションはＯＦＦを選択し、図４（ｇ）において、人物撮影はＯＮ、風景撮影はＯＦＦ、スポーツ撮影はＯＮ、夜景撮影はＯＮ、モノクロ撮影はＯＦＦを選択している。）。
【００６３】
次に前記のごとく構成された本実施の形態のデジタルカメラ１０による撮影画像の記録処理手順について説明する。
【００６４】
図５は、撮影画像の記録処理の流れを示すフローチャートである。同図に示すように、撮影が実行されると（ステップＳ１０）、初めに電子透かし処理についての要否が判定される。
【００６５】
すなわち、まず、撮影された画像が電子透かし処理を行なうとされている規定画像サイズで撮影されたものであるか否かが判定される（ステップＳ１２）。この判定の結果、規定画像サイズで撮影されたものである場合は、透かしデータ埋め込み回路６２にて画像データに透かしデータが埋め込まれ、電子透かし処理が施される（ステップＳ１４）。
【００６６】
一方、規定画像サイズで撮影されたものでない場合は、次に、電子透かし処理を行なうとされている規定圧縮率で撮影されたものであるか否かが判定される（ステップＳ１６）。この判定の結果、規定圧縮率で撮影されたものである場合は、前記同様に透かしデータ埋め込み回路６２にて電子透かし処理が施される（ステップＳ１４）。
【００６７】
また、規定圧縮率で撮影されたものでない場合は、次に、電子透かし処理を行なうとされている規定撮影モードで撮影されたものであるか否かが判定される（ステップＳ１８）。この判定の結果、規定撮影モードで撮影されたものである場合は、前記同様に透かしデータ埋め込み回路６２にて電子透かし処理が施される（ステップＳ１４）。
【００６８】
また、規定撮影モードで撮影されたものでない場合は、次に、電子透かし処理を行なうとされている規定シーンポジションで撮影されたものであるか否かが判定される（ステップＳ２０）。この判定の結果、規定シーンポジションで撮影されたものである場合は、前記同様に透かしデータ埋め込み回路６２にて電子透かし処理が施される（ステップＳ１４）。
【００６９】
また、規定シーンポジションで撮影されたものでない場合は、電子透かし処理は行なわず、そのまま次の暗号化処理についての要否が判定される。また、電子透かし処理を施した画像についても、電子透かし処理後、暗号化処理についての要否が判定される。
【００７０】
まず、撮影された画像が暗号化処理を行なうとされている規定画像サイズで撮影されたものであるか否かが判定される（ステップＳ２２）。この判定の結果、規定画像サイズで撮影されたものである場合は、暗号化回路６４にて暗号化処理が施される（ステップＳ２４）。
【００７１】
一方、規定画像サイズで撮影されたものでない場合は、次に、暗号化処理を行なうとされている規定圧縮率で撮影されたものであるか否かが判定される（ステップＳ２６）。この判定の結果、規定圧縮率で撮影されたものである場合は、前記同様に暗号化回路６４にて暗号化処理が施され（ステップＳ２４）、その後、記録回路４８を介してメモリカード６６に記録される（ステップＳ３２）。
【００７２】
また、規定圧縮率で撮影されたものでない場合は、次に、暗号化処理を行なうとされている規定撮影モードで撮影されたものであるか否かが判定される（ステップＳ２８）。この判定の結果、規定撮影モードで撮影されたものである場合は、前記同様に暗号化回路６４にて暗号化処理が施され（ステップＳ２４）、その後、記録回路４８を介してメモリカード６６に記録される（ステップＳ３２）。
【００７３】
また、規定撮影モードで撮影されたものでない場合は、次に、暗号化処理を行なうとされている規定シーンポジションで撮影されたものであるか否かが判定される（ステップＳ３０）。この判定の結果、規定シーンポジションで撮影されたものである場合は、前記同様に暗号化回路６４にて暗号化処理が施され（ステップＳ２４）、その後、記録回路４８を介してメモリカード６６に記録される（ステップＳ３２）。
【００７４】
一方、規定シーンポジションで撮影されたものでない場合は、暗号化処理は行なわず、そのままメモリカード６６に記録される（ステップＳ３２）。
【００７５】
このように、本実施の形態のデジタルカメラ１０では、撮影する画像の画像サイズや圧縮率に応じて電子透かし処理と暗号化処理の要否をあらかじめ設定しておくことにより、その設定で撮影した場合には自動で電子透かし処理又は暗号化処理が施される。これにより、撮影のたびに電子透かし処理や暗号化処理の要否を設定する煩わしさがなくなり、快適な撮影を行なうことができる。
【００７６】
また、本実施の形態のデジタルカメラ１０では、電子透かし処理又は暗号化処理を必要とする画像サイズや圧縮率をユーザが自由に設定することができるので（カスタム設定）、さまざまな撮影条件に臨機応変に対応することができる。
【００７７】
なお、本実施の形態のデジタルカメラ１０では、電子透かし処理と暗号化処理の両方の機能を備えたデジタルカメラを例に説明したが、電子透かし処理又は暗号化処理のいずれか一方の機能のみを備えたデジタルカメラにも本発明は適用することができる。
【００７８】
また、本実施の形態のデジタルカメラ１０では、電子透かし処理と暗号化処理の要・不要を▲１▼画像サイズ、▲２▼圧縮率、▲３▼撮影モード、▲４▼シーンポジションの各項目ごとに設定できることとしているが、画像サイズに応じてのみ、あるいは圧縮率に応じてのみ設定できるようにしてもよい。同様に撮影モードやシーンポジションに応じてのみ設定できるようにしてもよく、これらのうちいくつかに付いてのみ設定できるようにしてもよい。
【００７９】
また、ユーザによる設定機能をなくし、メーカで設定された規定の画像サイズ、規定の圧縮率、規定の撮影モード、規定のシーンポジションで撮影された場合は自動的に電子透かし処理又は暗号化処理が施されるようにしてもよい。
【００８０】
【発明の効果】
以上説明したように、本発明によれば、撮影した画像の記録画素数、圧縮率、撮影モードに応じて自動で電子透かし処理又は暗号化処理を行なうことができるので、撮影のたびに設定する手間が省け、快適な撮影を行なうことができる。
【図面の簡単な説明】
【図１】本発明に係るデジタルカメラの一実施形態を示す正面図
【図２】本発明に係るデジタルカメラの一実施形態を示す背面図
【図３】デジタルカメラの内部構成を示したブロック図
【図４】電子透かし処理・暗号化処理の設定画面を説明する説明図
【図５】撮影画像の記録処理の流れを示すフローチャート
【符号の説明】
１０…デジタルカメラ、１２…撮影レンズ、１４…ファインダ窓、１６…ストロボ、１８…シャッターボタン、２０…ファインダ、２２…電源ボタン、２４…モードレバー、２６…モードダイヤル、２８…十字ボタン、３０…メニュー／ＯＫボタン、３２…キャンセルボタン、３４…液晶モニタ、４０…ＣＰＵ、４２…撮影回路、４４…画像処理回路、４６…圧縮・伸張回路、４８…記録回路、５０…表示回路、５２…スイッチ回路、５４…ＲＯＭ、５６…ＲＡＭ、５８…ＥＥＰＲＯＭ、６２…透かしデータ埋め込み回路、６４…暗号化回路、６６…メモリカード
【図１】
0004066148.tif 000002
【図２】
0004066148.tif 000003
【図３】
0004066148.tif 000004
【図４】
0004066148.tif 000005
【図５】
0004066148.tif 000006